(57)【特許請求の範囲】
【請求項１】
アルミ箔シート、又は、アルミを基材とした平面を有する遮断熱シートに多数の抜き孔による模様、又は、切り絵を設け、他の透光性が有り平面を有するシートに接着した構造を特徴とする遮断熱アートカーテンシート。
【請求項２】
前記アルミ箔シートの表面に樹脂性のコーティング又は樹脂性のシートが積層されていることを特徴とする請求項１に記載の遮断熱アートカーテンシート。
【請求項３】
前記遮断熱アートカーテンシートは板状で、柔軟性を有し、ロール状に巻取りが可能なことを特徴とする請求項１又は請求項２に記載の遮断熱アートカーテンシート。
【請求項４】
前記遮断熱アートカーテンシートは窓等に着脱自在に取付けが可能なことを特徴とする請求項１から請求項３のいずれかに記載の遮断熱アートカーテンシート。
【発明の詳細な説明】
【技術分野】
【０００１】
本発明は、窓等に取り付けられるカーテン用シート及び遮断熱シートに関する。
【背景技術】
【０００２】
ロールカーテンに使用されているカーテン布地、又は、カーテン用シートは適度な張り、腰を与えて巻き取りを容易にする専用の生地を用いることが一般的であり、カーテンは室内において日常的に眺めるものであり、デザイン面からも生地の表面に風合いを持たせる為の加工や、太陽光及びその熱を遮断するための遮断熱処理等を施す工夫の提案がなされている。
【０００３】
例えば、特許文献１には、生地本来の風合いを維持でき、表地と裏地の柄を見る者にはっきりと認識させることができ、前記表地には遮光生地が使用された構造が記されている。
【０００４】
特許文献２には、カーテン生地本来の特質を損なうことなく可撓性及び適度な張り、腰を持たせる為、表地と芯地の織り目の方向が互いに異なるように熱融着性材料で張り合わせ、ロールカーテンとして巻取りが可能となる方法が記されている。
【０００５】
特許文献３には、面方向において隠蔽性を有する画像部分と透視性を有する部分とが周期的、又は、ランダムに混在してなり、前記透視性を有する部分は、ヘーズ（ＪＩＳ  Ｋ７１３６：２０００）が２５〜８０％、近赤外線透過率が５０％以下になるよう構成されたデザインシートが記されている。
【０００６】
特許文献４には、表面材として熱効率に優れたアルミ箔を使用し、内部にバブル型樹脂シート、又は発泡系材料、或いは補強糸を組み合わせてなるシートの開口部熱損失防御法が記されている。
【０００７】
特許文献５には、金属と、樹脂と、金属の表面上に樹脂を被覆した素材の内いずれか１つから成る基材と、基材の表面上に塗料型断熱材で形成される少なくとも１以上の断熱層と、断熱層上にプライマと、シーラとのいずれか一方で形成される下塗り層と、その上に、弾性ウレタン層を有したシートによる室内外への熱遮断構造が記されている。
【先行技術文献】
【特許文献】
【０００８】
【特許文献１】特開２００６−７７５３４号
【特許文献２】特開２０００−３０８５６７号
【特許文献３】特開２００６−１７８１２９号
【特許文献４】特開２００７−３０３２６２号
【特許文献５】特開２００４−２６３５４９号
【発明の概要】
【発明が解決しようとする課題】
【０００９】
特許文献１と２に開示されている方法は、カーテン生地本来の風合い、特質を損なうことなく、遮光性を有し、ロールカーテンとしての機能を十分に果たす目的は達成されているが、遮断熱性に対しては考慮がなされていない。
【００１０】
特許文献３は、カーテンにより室内に適当な光を取り入れることを重点に考えられたカーテンシートであり、見栄え面では十分に機能を果たしていると思われるが、前記特許文献１及び２と同様遮断熱性に対しては考慮がなされていない。  
【００１１】
特許文献４と５は、使用されている材料から遮断熱性効果は十分に果たすことはできると考えられるが、機能重視でカーテンの持つ装飾性については考慮がなされていない。
【００１２】
そこで、本発明が解決しようとする課題は、外からの太陽光の熱を遮断できる遮断熱シートを備え、該遮断熱シートに多数の抜き孔を設けて、室内側の透光性を有したカーテンシートに光の模様、又は、絵を描き出せることができ、遮断熱効果も同時に保てる見栄えの良い遮断熱アートカーテンシートを提供することにある。      
【課題を解決するための手段】
【００１３】
室内を暑い日差しから守る為の遮断熱材としてアルミ箔シート、又は、アルミを基材とした遮断熱シートに遮断熱効果が十分保てる範囲で、多数の孔、又は、切り絵、又は、切り抜き模様を施したシートに、透光性を有する織物、編み物、不織布、又は樹脂フィルム等のカーテンシートを接着して張り、腰、柔軟性を有した切断可能なシート構造を要旨とする。
【００１４】
前記アルミ箔シートに張り、腰を持たせ、皴の防止をする為、表面に透明、又は、半透明の樹脂性のコーティング剤を吹き付け、又は、塗布を施すか、樹脂性シートを接着した構造を要旨とする。  
【００１５】
前記アルミ箔シート、又は、アルミを基材とした遮断熱シートに多数の抜き孔を設けてなるシートと、採光性を有する織物、編み物、不織布、又は樹脂フィルム等を接着して仕上げられた板状の遮断熱アートカーテンシートにはロール状に巻取りが可能な柔軟性と、張り、腰を有する構造を要旨とする。  
【００１６】
前記遮断熱アートカーテンシートは、窓枠等に取り付けられるロールカーテンの支持フレームの巻芯に装着でき、自在に巻き取りを可能とし、さらに、所定の寸法に裁断して窓ガラス等に吸盤、両面粘着テープ、接着剤等により直接取り付けができることを要旨とする。
【発明の効果】
【００１７】
アルミ箔シート、又は、アルミを基材とした遮断熱シートが、外の暑い日差しを反射して熱を遮断し、室内を暑さから守ることができ、昼間の室内においては遮断熱シートに施された多数の抜き孔、又は、切り込み部から外の光が透光性を有したカーテンシートに射し込み、光の模様、又は、切り絵等が描き出され、心が癒される。夜間は外からの採光が無いので室内では通常のカーテン生地の風合いが楽しめる見栄えの良い遮断熱アートカーテンとなる。
【図面の簡単な説明】
【００１８】
【図１】本発明に係るアルミ箔シートの状態を表す部分拡大断面図。
【図２】本発明に係るアルミを基材とした遮断熱シートの状態を表す部分拡大断面図。
【図３】本発明に係るロールカーテンへの使用例を示す斜視図。
【図４】図３のＡ−Ａ部分拡大断面図。
【図５】本発明の遮断熱アートカーテンシート使用例の正面図。
【発明を実施するための形態】
【００１９】
以下に、本発明の実施形態について図1から図４により詳細に説明する。図1は、アルミ箔シート１２と、樹脂コーティング層１１と、接着剤１５と、透光性を有したカーテンシート１６で構成されている。
【００２０】
図1に示す、アルミ箔シート１２は板状で、光沢のある表面上に柔軟性の維持、皴の防止、表面保護の目的で、樹脂コーティング層１１を形成する。コーティング後は、適度な柔軟性と、張り、腰を有する。樹脂コーティング剤はアルミ箔の持つ光及び熱反射機能維持の為、透明が望ましいが、半透明でもよい。又、樹脂コーティング層１１は薄い合成樹脂フィルムを接着することも可能である。但し、アルミ箔シート１２の寸法が厚く皴になりにくい場合、抜き孔１４の作業性に問題が生じない場合等においては表面への樹脂コーティング、合成樹脂フィルムの接着を省くこともできる。      
【００２１】
樹脂コーティング層１１の樹脂コーティング剤の主成分は、ポリエチレン系、ポリエステル系、メラミン系、エポキシ系等で必要に応じて、溶剤、可塑剤、硬化剤、劣化防止剤、防腐剤、増粘剤等の添加剤を加え吹き付け、又は塗布し加熱処理を行う。
【００２２】
前記樹脂コーティング層１１が形成されたアルミ箔シート１２は多数の抜き孔１４による模様又は切り絵２４等を施し、透光を可能とする。多数の抜き孔１４による模様、又は、切り絵２４等の透光部の総面積が多くなれば遮断熱効果が減少するため、アルミ箔シート１２の総面積の約３０％以下が望ましい。しかし、遮断熱効果にこだわることなく、遮断熱アートカーテンシート１の使用目的により、遮断熱効果と、カーテンシート１６の材質による見栄え、又は、透光状態により採光効果も合わせてそれぞれ使い分けることは可能である。  
【００２３】
図２に示す、遮断熱シート１３はアルミ、又はアルミ合金を基材として製造されている建築物の外壁等に使用されている建築資材用の遮断熱シート１３、又は、はアルミ箔及びアルミ合金を基材とした塗料型断熱剤、弾性ウレタン剤、合成樹脂の溶剤とを含有する塗料組成物等を圧送吹き付け、又は、刷毛塗り、ローラー塗り等で塗布し、加熱処理して形成された遮断熱シート１３、に前記と同様多数の抜き孔１４による切り抜き模様、又は、切り絵２４等を施し、透光性を可能とする。前記アルミ箔シート１２と同様多数の抜き孔１４による模様、又は、切り絵２４等の透光部の総面積が多くなれば遮断熱効果が減少するため、遮断熱シート１３の総面積の約３０％以下が望ましい。しかし、遮断熱効果にこだわることなく、遮断熱アートカーテンシート１の使用目的により、遮断熱効果と、カーテンシート１６の材質による見栄え、又は、透光状態により採光効果も合わせてそれぞれ使い分けることは可能である。
【００２４】
図1と図２に示す、カーテンシート１６は、透光性を有する織物、編み物、不織布、又は樹脂フィルムからなり、張り、腰、柔軟性を備え、表面は無地、又は、織柄、地模様等で夫々室内のデザインに合わせた色彩が有ってもよい。
透光性については、外からの光を室内に少しでも取り入れることができればよい。つまり、アルミ箔シート１２、又は、遮断熱シート１３に設けられた多数の抜き孔１４から模様、又は、切り絵２４が描き出されることを認識できる光の透過量があればよい。
【００２５】
接着剤１５は熱溶着性、又は、常温接着性材料で接着乾燥後は柔軟性があり、透明、又は、半透明からなる接着剤で、主成分は、ポリエチレン系、ポリアミド系、ポリエステル系、メラミン系、エポキシ系、酢酸ビニル系等で必要に応じて、溶剤、可塑剤、硬化剤、劣化防止剤、防腐剤、増粘剤等の添加剤を加えた吹き付け、塗布できるもの、又は、熱溶着性の樹脂繊維に接着剤が含浸されて形成されたシートでもよい。
【００２６】
図１に示す、表面に樹脂コーティング層１１が形成されたアルミ箔シート１２と図２に示す、遮断熱シート１３の夫々の裏面と、カーテンシート１６の裏面の両方に接着剤１５を吹付け、又は、塗布して接合し、加圧して加熱接着、又は、常温接着、を行い遮断熱アートカーテンシート１が形成される。
【００２７】
遮断熱アートカーテンシート１は取り付ける場所、物により種々のサイズに切断して使用することができるが、アルミ箔シート１２、又は、遮断熱シート１３に多数の抜き孔１４を設ける為、切断部が抜き孔１４にかからない様予め切断サイズを設定しておくことが望ましいが、連続模様、又は、用途により決めてもよい。必要なサイズへの切断は、レーザーカット、裁断機等による切断が可能である。
【００２８】
図３と図５に示す、使用例の遮断熱アートカーテンシート１は、外側に向けたアルミ箔シート１２、又は、遮断熱シート１３が、外の暑い日差しを反射して熱を遮断し、シートに施された切り絵２４から光が透過して、室内側のカーテンシート１６に射し込み、光が切り絵２４を描き出す。夜間は外からの採光が無いので室内で通常のカーテン生地の風合いが楽しめる。さらに、室内の電灯の光が切り絵２４を通して外に漏れ、外部からの見栄えもよくする。
【００２９】
図３に示すロールカーテン２は、遮断熱アートカーテンシート１の１使用例を示すもので、通常のロールカーテン２の支持フレーム２１にセットされた巻き芯２２に遮断熱アートカーテンシート１の上部を取り付け、下部にウエイトバー２３を取り付けた状態において板状に垂れ下がり、アルミ箔シート１２が外側に向き、室内側がカーテンシート１６となる。従って、昼間はアルミ箔シート１２の切り絵２４から光が入り、カーテンシート１６を通して切り絵２４が浮かび上がる。
【００３０】
さらに、板状に垂れ下がった遮断熱アートカーテンシート１は、ロールカーテン２の巻き芯２２に巻取りが可能な柔軟性と、張り、腰を備えたことにより、支持フレーム２１内に巻き取り収納することができる。
【００３１】
図4に示す、遮断熱アートカーテンシート１のアルミ箔シート１２は切り絵部２４が切り抜かれ、シートの厚みが異なり、巻き取り時に左右にアンバランスが発生することが考えられるので、その防止をする為、遮断熱アートカーテンシート１の左右両端は図3に示すように一定の幅を除いて抜き孔１４及び切り絵２４を設ける構造が望ましい。
【００３２】
図5は、遮断熱アートカーテンシート１の他の使用例で、遮断熱アートカーテンシート１を窓枠３２に合わせて正方形、又は、長方形に切断し、上部左右の角に吸盤３１を装着し、下部にウエイトバー３４を装着して、吸盤３１で窓ガラス３３の上部に取り付ける。遮断熱アートカーテンシート１を使用しない時は、ウエイトバー３４に巻き付けて保管が可能である。又、遮断熱アートカーテンシート１の４方向の角に吸盤３１を装着し、窓ガラスに取り付けることも可能である。さらに、窓ガラス３３には両面接着テープ、着脱自在の接着剤等で直接取り付けることもできる。
【００３３】
遮断熱アートカーテンシート１は窓以外にも、熱を遮断しながら模様や絵を楽しみたい衝立等にも使用することができる。この他にも熱を遮断しながら模様や絵を楽しみたい場所に色々な形に切断して使用することも可能である。
【００３４】
以上、遮断熱アートカーテンシートの説明をしたが、発明の趣旨を逸脱しない範囲で種々の改変は可能である。  
【符号の説明】
【００３５】
１  遮断熱アートカーテンシート  
11  樹脂コーティング層
12  アルミ箔シート
13  遮断熱シート
14  抜き孔
15  接着剤
16  カーテンシート
２  ロールカーテン
21  支持フレーム
22  巻き芯
23  ウエイトバー
24  切り絵
31  吸盤
32  窓枠
33  窓ガラス 
34  ウエイトバー
【図１】
0005505982.tif 000002
【図２】
0005505982.tif 000003
【図３】
0005505982.tif 000004
【図４】
0005505982.tif 000005
【図５】
0005505982.tif 000006